(57)【要約】【課題】  振分経路において球を少なくとも２つの経路に振り分けて球の動きを変化させることができる役物装置を備えた遊技機を提供する。【解決手段】  遊技盤１０の盤面上を流れる球Ｂを受け、その球Ｂを横方向に変位させながら遊技者に対し有利となる領域に流入する確率が高い高確率経路と、確率が低い低確率経路との２つの経路に振り分ける振分経路４９が設けられた役物装置４０を備えている。【選択図】        図１
2005102821.tif 000002
【特許請求の範囲】
【請求項１】
遊技盤の盤面上を流れる球を受け、その球を横方向に変位させながら遊技者に対し有利となる領域に流入する確率が高い高確率経路と、確率が低い低確率経路との少なくとも２つの経路に振り分ける振分経路が設けられた役物装置を備えていることを特徴とする遊技機。
【発明の詳細な説明】
【技術分野】
【０００１】
この発明は、例えば、パチンコ機（雀球機、アレンジボール機等も含む）等の弾球遊技機とも呼ばれることもある遊技機に関する。
【背景技術】
【０００２】
パチンコ機等の遊技機において、遊技盤の盤面上を流れる球が流入可能な流入口と、その流入口から流入した球を受け、その球を遊技者に対し有利となる領域に流入する確率が高い高確率経路と、確率が低い低確率経路との少なくとも２つの経路に振り分ける振り分け経路が役物装置（例えば、センタ役物と呼ばれている役物装置）に形成されたものが知られている。
また、この種の役物装置において、球を受けて横方向に移送する螺旋球受溝を外周面に有する球送りスクリューを備え、流入口から流入した球を球送りスクリューの一端部側で受けその球を球送りスクリューの回転動作によって他端側に向けて移送するとともに、球送りスクリューによる球の移送経路上に可動邪魔体が進退可能に配設されたものもが知られている（例えば、特許文献１参照）。
【特許文献１】特開２００２−１７９９８号公報
【発明の開示】
【発明が解決しようとする課題】
【０００３】
ところで、前記したような構造をもつ役物装置においては、流入口から流入し球を球送りスクリューの一端部側で受け、その球を、球送りスクリューの回転動作によって他端側に向けて移送するものである。そして、可動邪魔体によって球を落下させることで、その球をハズレ入賞口に流入させ、可動邪魔体を巧くすり抜けた球を球送りスクリューの他端側近傍まで移送して落下させ当り入賞口に流入させるものであるから、球の動きが単調であった。
【０００４】
この発明の目的は、前記問題点に鑑み、第１振分経路と第２振分経路において球を少なくとも２つの経路にそれぞれ振り分けて球の動きを斬新に変化させることができる役物装置を備えた遊技機を提供することにある。
【課題を解決するための手段】
【０００５】
前記目的を達成するために、手段１の発明に係る遊技機は、次の記載のとおりの構成、
「遊技盤の盤面上を流れる球を受け、その球を横方向に変位させながら遊技者に対し有利となる領域に流入する確率が高い高確率経路と、確率が低い低確率経路との少なくとも２つの経路に振り分ける振分経路を備えた遊技機であって、
前記振分経路は、球を受けその球を横方向に往復転動させて少なくとも２つの経路に振り分ける第１振分経路と、
前記第１振分経路に連絡路によって連通されかつ球を所定速度（例えば、一定の速度）で横方向に移送しながら前記高確率経路と前記低確率経路との少なくとも２つの経路に振り分ける第２振分経路とを備えていることを特徴とする遊技機。」を要旨とする。
【０００６】
したがって、遊技盤の盤面上を流れる球が第１振分経路に受けられると、その第１振分経路において球が横方向に往復転動して少なくとも２つの経路に振り分けられる。
第１振分経路上を横方向に往復転動する球のうち、一部の球は連絡路を経て第２振分経路に流れる。
第２振分経路に流れた球は、その第２振分経路において所定速度で横方向に移送されながら遊技者に対し有利となる領域（例えば、入賞口）に流入する確率が高い高確率経路と確率が低い低確率経路との少なくとも２つの経路に振り分けられる。
そして、高確率経路に振り分けられた球は、低確率経路に振り分けられた球よりも高い確率で遊技者に対し有利となる領域に流入する。
【０００７】
手段２の発明に係る遊技機は、請求項１に記載の遊技機であって、
第１振分経路には、その横方向の略中央部に連絡路が設けられ、
第２振分経路には、その横方向の略中央部に前記連絡路に流れた球を第２振分経路の左右いずれか一方に振り分ける振分体が設けられていることを特徴とする。
したがって、第１振分経路において横方向に往復転動する球のうち、一部の球がその略中央部の連絡路に流れる。
連絡路に流れた球は、第２振分経路の略中央部の振分体において左右いずれか一方に振り分ける。そして、第２振分経路の振分体を境とする左右部分において、球が所定速度で横方向に移送されながら高確率経路と低確率経路との少なくとも２つの経路に振り分けられる。
前記したように高確率経路に至るまでの球の動きが多様に変化するため、遊技者を視覚的に楽しませることができる。
【０００８】
手段３の発明に係る遊技機は、請求項２に記載の遊技機であって、
第２振分経路には、その振分体の左右両側部において横軸線回りに回転して球を同第２振分経路の両端部に向けて移送する螺旋球受溝を外周面に有する一対の回転移送体がそれぞれ配設されていることを特徴とする。
したがって、第１振分経路においては球が横方向に往復転動して少なくとも２つの経路に振り分けられ、第２振分経路においては球が所定速度（例えば、一定の速度）で移送されて高確率経路と低確率経路との少なくとも２つの経路に振り分けられる。
このように、第１振分経路における球の横方向の往復転動（揺動）と、第２振分経路における、球の所定速度の横移動によってその球の動き態様が大きく異なるため、遊技者を視覚的に楽しませることができる。
さらに、第１振分経路と略平行する第２振分経路に対し横軸線回りに回転する一対の回転移送体を設置する構造上、前後方向の限られた奥行き寸法内において、第１振分経路と第２振分経路とを前後に略平行状に隣接させて容易に配置することができる。
【０００９】
手段４の発明に係る遊技機は、請求項３に記載の遊技機であって、
一対の回転移送体は、振分体側が低く反対側が高い傾斜状の横軸線回りに回転可能でかつ前記振分体側の低い位置から反対側の高い位置に向けて球を移送するように構成されていることを特徴とする。
したがって、第１振分経路においては球が横方向に往復転動して少なくとも２つの経路に振り分けられ、第２振分経路においては球が所定速度（例えば、一定の速度）で低い位置から高い位置に向けて移送されて高確率経路と低確率経路との少なくとも２つの経路に振り分けられる。
このように、第２振分経路においては、球をその重力に抗して低い位置から高い位置に移送することができ、球の動きの態様をより一層斬新化させて、遊技者を視覚的に楽しませることができる。
【００１０】
手段５の発明に係る遊技機は、請求項３又は４に記載の遊技機であって、
第２振分経路には、回転移送体の上の球に接離可能に当たってその球を回転移送体上から払い落とす邪魔部材が配設されていることを特徴とする。
したがって、邪魔部材によって第２振分経路の回転移送体の上の球を払い落として振り分けることができ、球の動きがさらに一層斬新となり、遊技者を視覚的に楽しませることができる。
【発明の効果】
【００１１】
この発明によれば、第１振分経路と第２振分経路のそれぞれにおいて、球を少なくとも２つの経路にそれぞれ振り分けることができるため、球の動きを斬新に変化させて遊技者を視覚的に楽しませることができる。
【発明を実施するための最良の形態】
【００１２】
次に、この発明を実施するための最良の形態を実施例にしたがって説明する。
【実施例１】
【００１３】
図１は遊技機としてのパチンコ機の所定位置に配置される遊技盤を前側から視た正面図である。図２は役物装置の下部を拡大して示す正面図である。図３は役物装置の下部を前側から示す斜視図である。図４は第１振分経路の球受棚、第２振分経路の一対の回転移送体及び奥側誘導路を示す平面図である。図５は同役物装置の下部を後側から示す斜視図である。図６は第２振分経路の一対の回転移送体、移送モータ、複数の邪魔部材、カム機構、駆動モータの関係を示す説明図である。なお、説明の便宜上、パチンコ機（遊技機）に対する遊技者側を前、反対側を後という。
図１において、遊技盤１０の前面の周縁部には、外レール１２と内レール１３とを備えた案内レール１１が装着されている。案内レール１１の内側には、遊技領域１５が区画形成されるとともに、外レール１２と内レール１３との間には、球発射装置（図示しない）によって発射された球（パチンコ球）を遊技領域１５の上部に案内する球発射通路１４が形成されている。
【００１４】
遊技盤１０前面の遊技領域１５の略中央部には、役物装置４０が装着されるとともに、その役物装置４０の略直下に位置しかつ遊技者に対し有利となる領域としての入球口、この実施例１においては可変始動口２６を備えた入球装置（入賞装置）２５が配設されている。また、可変始動口２６には、一対の開閉部材２８が開閉可能に設けられ、これら開閉部材２８が開いて可変始動口２６が拡開されたときには球Ｂが流入し易く、開閉部材２８が閉じて可変始動口２６が狭くなったときには球Ｂが流入し難くなるように構成されている。
また、入球装置２５の可変始動口２６（入球口）に球Ｂが流入すると、後述する図柄表示装置４５が作動するようになっている。なお、球Ｂが後述する普通図柄始動用ゲート口２０の検出器２１を通過することで、後述する普通図柄表示部４５が作動して普通図柄の抽選が行われる。そして、普通図柄表示部４５の抽選に基づいて、入球装置２５の開閉部材２８が所定時間（例えば、１秒間）開放し、これによって入球装置２５の可変始動口２６が拡開してその可変始動口２６に球Ｂが流入し易くなっている。
【００１５】
また、遊技盤１０前面の遊技領域１５内には、その入球装置２５の下方に位置してアタッカ装置３０が装着されている。このアタッカ装置３０には、その略中央部に開閉扉３１によって開閉される大入賞口３２が設けられている。
また、遊技盤１０前面の遊技領域１５内には、その最下端に位置しかつアタッカ装置３０の下方においてアウト口３３が設けられている。
また、遊技盤１０前面の遊技領域１５の所定位置には、風車器１８や入賞口（図示しない）等が適宜に配設されている。
【００１６】
図１〜図３に示すように、役物装置４０は、その主体部をなす役物本体４１と図柄表示装置４３とを備えている。
役物装置４０の本体部をなす役物本体４１は、複数又は単数の本体構成部材によって形成され、遊技盤１０の略中央部に貫設された役物装着孔の前面開口部の周縁を塞ぐようにして枠状に構成されている。そして、役物本体４１はビス等によって遊技盤１０の前面（盤面）に取り付けられている。
役物本体４１の略中央部には、四角形、円形等の開口窓が形成されている。
役物本体４１の開口窓の後側には、図柄表示装置４３が装着されている。この図柄表示装置４３の表示部４４の略全域には、特別図柄が変動表示される特別図柄表示領域が設けられている。また、表示部４４の一部には、普通図柄が変動表示される普通図柄表示部４５が設けらている。
【００１７】
図１に示すように、役物本体４１の上部左右両側部には球の通過を検出する検出器２１を有する普通図柄始動用ゲート口２０が設けられている。
また、役物本体４１の左右両側部には、遊技盤１０の盤面（前面）上を流れる球Ｂが流入可能な流入口４７を有する球通路（ワープ通路と呼ばれることもある）４６がそれぞれ設けられている。これら球通路４６の流出口４８は、役物本体４１の下部両側部に臨んで開口している。
【００１８】
図１〜図４に示すように、役物本体４１の下部には、左右の両球通路４６の流出口４８からそれぞれ流出した球Ｂを受け、これら球Ｂを横方向に変位させながら可変始動口（遊技者に対し有利となる領域）２６に流入する確率が高い高確率経路と、確率が低い低確率経路との少なくとも２つの経路に振り分ける振分経路４９が配設されている。この振分経路４９は、第１振分経路５０と第２振分経路７０とをそれぞれ備えて構成されている。
この実施例において、図３と図４に示すように、左右の両球通路４６の流出口４８の間に球受棚５１が設けられ、その球受棚５１の上面を第１振分経路５０としている。
すなわち、球受棚５１の上面には、球Ｂが横方向（左右方向）に往復転動可能に中央部と両側部がそれぞれ高く、その中間部が低い凹凸の湾曲路が形成されるとともに、その球受棚５１の前縁部には球落下防止用の前突縁が形成されている。そして、その左右中間部の低い部分には球Ｂを前側に向けて放出する左右の両放出部５３がそれぞれ形成されている。さらに、球受棚５１の中央部の高い部分には球Ｂを受け、その球Ｂを後方の第２振分経路７０に向けて転動させる傾斜状の連絡路５５が形成されている。
【００１９】
また、この実施例において、図３と図４に示すように、役物本体４１の下部には、球受棚５１の前側下部に位置して前球受棚５７が設けられている。この前球受棚５７の上面には、球が横方向（左右方向）に往復転動可能に中央部と両側部がそれぞれ高く、その中間部が低い凹凸の湾曲路が形成され、その中央部寄りの左右部分の低い部分に球Ｂを前側に向けて放出する放出部５８がそれぞれ形成されている。
【００２０】
図３と図４に示すように、役物本体４１の下部には、球受棚５１の後側上部に位置しかつ連絡路５５の球Ｂを受け、その球Ｂを所定速度で横方向に移送しながら高確率経路と低確率経路との少なくとも２つの経路に振り分けるて第２振分経路７０が形成されている。
この実施例において、第２振分経路７０には、その横方向の略中央部において、連絡路５５の球Ｂを第２振分経路７０の左右いずれか一方に振り分ける略山形状の振分体７１が設けられている。
また、第２振分経路７０には、その振分体７１の左右両側部において横軸線回りに回転して球Ｂを同第２振分経路７０の左右両端部に向けてそれぞれ個別に移送する螺旋球受溝を外周面に有する一対の回転移送体８０がそれぞれ配設されている。
【００２１】
また、この実施例において、一対の回転移送体８０は、振分体７１側が低く、反対側が高い傾斜状の横軸線回りに回転可能でかつ振分体７１側の低い位置から反対側の高い位置に向けて球Ｂをそれぞれ移送するように構成されている。
また、回転移送体８０は、所要とする軸径寸法を有する金属製あるいは合成樹脂製の軸体の外周面に切削加工によって螺旋球受け溝が形成される。
また、図７に示すように、軸体８１の外周面にコイルスプリング状の螺旋部材８２を嵌挿し、その螺旋部材８２の両端末部８３を軸体８１の両端部に固着することで、螺旋球受け溝を有する回転移送体８０を構成することも可能である。この場合には、切削加工に比べて回転移送体８０を安価に製作することができる。
また、螺旋球受け溝を有する回転移送体８０を合成樹脂の射出成形によって一体成形することも可能である。
【００２２】
図５と図６に示すように、一対の回転移送体８０のうち、一方の回転移送体８０の軸端部にはカップリング８４を介して電動アクチュエータとしての移送モータ８６の出力軸に連結されている。
また、一対の回転移送体８０の相対する軸部の間にはトルク伝達手段８７が配設されている。トルク伝達手段８７としては、例えば、一対の回転移送体８０の相対する軸部の間に自在継ぎ手（例えば、コイルばね等）を配設して構成することもでき、また、一対の回転移送体８０の相対する軸部の間に３つの傘歯車を相互に合わせて構成することも可能である。
【００２３】
図３と図４に示すように、第２振分経路７０の後側に配設された通路仕切壁９０の後側には、第２振分経路７０の一対の回転移送体８０の螺旋球受溝に沿って一定の速度で横送りされる球Ｂに接離可能に当たってその球Ｂを回転移送体８０上から払い落とす複数（図では左右各２つ、合計４つ）の邪魔部材１００がそれぞれ垂直方向の支軸１０１を中心として回転可能に配設されている。
図５と図６に示すように、各邪魔部材１００は、横長の略四角形状をなして各支軸１０１の上端部に装着されている。そして、各邪魔部材１００は、支軸１０１と一体状に所定の角度（例えば略４５度程度）の範囲で往復回動することで、第２振分経路７０の後側において、回転移送体８０上の球Ｂに干渉することなく第２振分経路７０と略平行状をなす待機位置と、第２振分経路７０に突出して回転移送体８０上の球Ｂを払い落とす払落位置とに変位されるようになっている。
【００２４】
この実施例において、通路仕切壁９０の後側には軸受け体によって各支軸１０１がそれぞれ回転可能に支持されている。そして、各支軸１０１は、駆動機構としてのカム駆動機構によって、待機位置と払落位置とに往復回動されるとともに、常時、ばね（図示しない）によって待機位置に向けて付勢されるようになっている。
すなわち、図５と図６に示すように、役物本体４１の所定位置には、駆動モータ１１０の出力軸１１２にカップリング１１１を介して連結された横方向の駆動軸１１３が回転可能に支持されている。
【００２５】
図５と図６に示すように、駆動軸１１３上には、各支軸１０１の軸上に設けられたカムフォロアとしての作動体１０２に当接しかつ各支軸１０１と共に各邪魔部材１００を待機位置と払落位置とに往復回動させるカム面を有するカム体１１４がそのボス部１１６において止めネジ１１７によってそれぞれ個別に角度調整可能に装着されている。
前記したように、駆動軸１１３上に対する各カム体１１４をそれぞれ個別に角度調整可能に構成することで、各邪魔部材１００をそれぞれ同時に待機位置と払落位置とに変位させることが可能になるとともに、所定の邪魔部材１００を待機位置、他の邪魔部材１００を払落位置に変位させることも可能となる。
【００２６】
また、図３と図４に示すように、第２振分経路７０には、一対の回転移送体８０によって上傾端まで移送された球をその後側（奥側）に導く経路出口７２が形成されている。
また、通路仕切壁９０とその後側の後側壁９１との間には、第２振分経路７０の両端に経路出口７２からそれぞれ放出された球Ｂを所定位置まで導く奥側誘導路９５が形成されている。この奥側誘導路９５は、両端部が高く中央部が低い傾斜に形成されている。そして、奥側誘導路９５の中央部には、当該奥側誘導路９５の中央部分に導かれた球を前側に向けて導くトンネル通路状の中央誘導路９６が形成されている。この中央誘導路９６の放出口は、遊技者に有利となる領域としての可変始動口２６の直上において開口している。そして、第２振分経路７０の経路出口７２から奥側誘導路９５を経て中央誘導路９６に流れた球Ｂは、その中央誘導路９６の放出口が放出され、可変始動口２６に流入する確率が高く設定されている（図１及び図３参照）。
【００２７】
この実施例１に係る遊技機としてのパチンコ機は上述したように構成される。したがって、遊技の際、図示しない球発射装置から球発射通路１４に発射された球Ｂ（パチンコ球Ｂ）は、遊技領域１５の上部に打ち出され、多数の釘、風車器１８等に案内されながら遊技領域１５の下部に向けて流れる。
遊技領域１５に打ち出された球Ｂのうち、一部の球Ｂは流入口４７の検出器を通過したり、あるいは、入球装置２５の可変始動口２６、一般入賞口（図示しない）等の入球口に流入する。また、これら入球口に流入しなかった多くの球Ｂは遊技領域１５の下部のアウト口３３に流入し、機外に排出される。
【００２８】
球Ｂが普通図柄始動用ゲート口２０の検出器２１を通過すると、その球Ｂが検出器２１によって検出され、その検出信号が主制御装置（図示しない）に送られる。すると、その信号が図柄表示装置４３に伝達され、その表示部４４の一部に設けられた普通図柄表示部４５の図柄が変動する。そして普通図柄表示部４５には、抽選結果に基づく図柄が表示される。
普通図柄表示部４５の図柄が当たり図柄となって表示されると、入球装置２５の可変始動口２６の開閉部材２８が所定時間（例えば、１秒間）開放して閉じる。
入球装置２５の可変始動口２６に球Ｂが流入すると、その球Ｂがセンサによって検出され、その検出信号が主制御装置に送られる。すると、その信号が図柄表示装置４３に伝達され、これによって表示部４４に表示された図柄が変動し、設定時間後停止する。そして、表示部４４には抽選結果に基づく図柄が表示される。
【００２９】
表示部４４に表示された図柄が「大当たり図柄」、例えば「７・７・７」となって停止した場合、大当たりとなる。すると、アタッカ装置３０の開閉扉３１によって大入賞口３２が開かれる。大入賞口３２に球Ｂが１０個流入するか、あるいは、３０秒経過すると、開閉扉３１によって大入賞口３２が閉じられる。
大入賞口３２の開放時において、その大入賞口３２に設けられた特定領域に球Ｂが入ると、開閉扉３１によって大入賞口３２が一旦閉じられた後、再び開かれる。開閉扉３１によって大入賞口３２が所定回数、例えば、最大１６回（すなわち１６ラウンド）開閉を繰り返すことで、大当たり遊技が終了する。
【００３０】
また、遊技の際、遊技領域１５を流れる球のうち、一部の球Ｂは役物本体４１の左右両流入口４７から球通路４６に流入した後、流出口４８を経て第１振分経路５０の中間球受棚５１上に受けられる。そして、球Ｂは球受棚５１上の凹湾曲路に沿って横方向に往復転動（左右方向へ揺動）して少なくとも２つの経路に振り分けられる。
すなわち、球受棚５１上を転動する球Ｂのうち、一部又は半数以上の球Ｂは左右の放出部５３から放出され、その前側の前球受棚５７に受けられた後、前球受棚５７上を転動して放出部５８から放出される。
そして、前球受棚５７の放出部５８から放出された球Ｂのうち、一部の球Ｂは、低い確率で可変始動口２６に流入し、他の多くの球Ｂは遊技領域１５を流下してアウト口３３を経て機外に排出される。
また、球受棚５１上を転動する球Ｂのうち、一部の球Ｂは、球受棚５１の略中央部の連絡路５５を経て第２振分経路７０に流れる。
【００３１】
第２振分経路７０に流れた球Ｂは、その第２振分経路７０において所定速度（例えば、一定速度）で横方向に移送されながら遊技者に対し有利となる領域としての可変始動口２６に流入する確率が高い高確率経路と確率が低い低確率経路との少なくとも２つの経路に振り分けられる。
そして、高確率経路に振り分けられた球Ｂは、低確率経路に振り分けられた球Ｂよりも高い確率で遊技者に対し有利となる領域に流入する。
この実施例１において、連絡路５５に流れた球Ｂは第２振分経路７０の横方向の略中央部に設けられた振分体７１によって左右いずれか一方に振り分けられる。
そして、振分体７１の左右両側部に配設された一対の回転移送体８０のうち、いずれか一方の回転移送体８０の螺旋球受溝によって受けられて振分体７１側の低い位置から反対側の高い位置に向けて所定速度（例えば、一定速度）で移送される。
【００３２】
第２振分経路７０には、一対の回転移送体８０の上の球Ｂに接離可能に当たってその球Ｂを回転移送体８０上から払い落とす複数の邪魔部材１００が待機位置と払落位置とに変位可能に配設されている。これら複数の邪魔部材１００は、駆動モータ１１０を駆動源とし、カム機構によって待機位置と払落位置とに変位される。
このため、回転移送体８０の螺旋球受溝によって受けられて移送された球Ｂのうち、一部の球Ｂは、払落位置とに変位された邪魔部材１００によって回転移送体８０上から払い落とされて第１振分経路５０の球受棚５１上に戻される。
【００３３】
また、邪魔部材１００に払い落とされることなく通過した球Ｂは、回転移送体８０上の他端まで移送されて経路出口７２を通して奥側誘導路９５に沿って誘導案内される。
そして、球Ｂは、奥側誘導路９５の中央部のトンネル通路状の中央誘導路９６を通してその前端開口部の放出口から放出される。
中央誘導路９６の放出口は、遊技者に有利となる領域としての可変始動口２６の直上において開口している。このため、第２振分経路７０の経路出口７２から奥側誘導路９５及び中央誘導路９６に流れてその放出口が放出される球Ｂは、高い確率で可変始動口２６に流入する。
言い換えると、第２振分経路７０の経路出口７２から奥側誘導路９５及び中央誘導路９６が可変始動口２６に流入する確率が高い高確率経路となっており、第１振分経路５０の球受棚５１上に戻される経路が可変始動口２６に流入する確率が低い低確率経路となっている。
【００３４】
なお、一対の回転移送体８０を駆動するための移送モータ８６及び邪魔部材１００を駆動する駆動モータ１１０はパチンコ機の電源スイッチがＯＮされると同時に作動されるように設定される。
【００３５】
前記したように、この実施例１においては、第１振分経路５０において横方向に往復転動する球Ｂのうち、一部の球Ｂがその略中央部の連絡路５５に流れる。
連絡路５５に流れた球Ｂは、第２振分経路７０の略中央部の振分体７１において左右いずれか一方に振り分ける。そして、第２振分経路７０の振分体７１を境とする左右部分において、球Ｂが所定速度で横方向に移送されながら高確率経路と低確率経路との２つの経路に振り分けられる。これによって、高確率経路に至るまでの球Ｂの動きが多様に変化するため、遊技者を視覚的に楽しませることができる。
【００３６】
また、第２振分経路７０には、その振分体７１の左右両側部において横軸線回りに回転して球Ｂを同第２振分経路７０の両端部に向けて移送する螺旋球受溝を外周面に有する一対の回転移送体８０がそれぞれ配設されている。
このため、第１振分経路５０においては球Ｂが横方向に往復転動して、放出部５３と連絡路５５とに振り分けられる。
そして、連絡路５５から第２振分経路７０に流れた球Ｂは、振分体７１において左右に振り分けられ、一対の回転移送体８０の螺旋球受溝によって所定速度（例えば、一定の速度）で移送される。
【００３７】
さらに、回転移送体８０の上の球Ｂが待機位置と払落位置とに変位される邪魔部材１００によって払い落とされたり、あるいは払い落とされることなく通過することで、高確率経路と低確率経路との２つの経路に振り分けられる。
このようにして第１振分経路５０と第２振分経路７０において、球Ｂの動き態様が大きく異なるため、遊技者を視覚的に楽しませることができる。
しかも、邪魔部材１００によって第２振分経路７０の回転移送体８０の上の球Ｂを払い落として振り分けることができ、球Ｂの動きがさらに一層斬新となり、遊技者を視覚的に楽しませることができる。
【００３８】
なお、この発明は前記実施例１に限定するものではない。
例えば、前記実施例１においては、第２振分経路７０の一対の回転移送体８０を駆動するための移送モータ８６及び邪魔部材１００を駆動する駆動モータ１１０はパチンコ機の電源スイッチがＯＮされると同時に作動されるように設定する場合を例示したが、これに限定されない。
例えば、移送モータ８６や駆動モータ１１０を遊技状況に応じて適宜に作動されるように制御装置によって作動制御することも可能である。
例えば、大当たり遊技の後、再び大当たりなる確率が高く設定される、いわゆる確率変動の遊技時等において、複数の邪魔部材１００が全て待機位置に配置されるように、駆動モータ１１０を作動制御（停止）することも可能である。
この場合には、第１振分経路５０の連絡路５５を通して第２振分経路７０に流れた球Ｂの全てが第２振分経路７０の経路出口７２を通過して、可変始動口２６に流入する確率が高い高確率経路としての奥側誘導路９５及び中央誘導路９６に流れる。
【００３９】
また、第１振分経路５０、すなわち、球受棚５１上の球経路の左右方向の略中央部に連絡路５５を形成し、第２振分経路７０の略中央部に連絡路５５から流入した球Ｂを左右に振り分ける振分体７１を設けたが、第１振分経路５０の一側に連絡路を設け、第２振分経路７０には、連絡路から流入した球を受けて所定速度で他側に向けて横送りする螺旋球受溝を有する回転移送体を配設してもこの発明を実施可能である。
また、第２振分経路７０に対し、球Ｂを保持して横送りする無端状の移送ベルトを配設してもこの発明を実施することができる。また、球Ｂを保持して横送りする無端状の移動ベルト上に磁力によって球を保持する磁石を配設してもよい。
【図面の簡単な説明】
【００４０】
【図１】この発明の実施例１に係る遊技機の遊技盤全体を示す正面図である。
【図２】同じく役物装置を下部を拡大して示す正面図である。
【図３】同じく役物装置を下部を拡大して正面から示す斜視図である。
【図４】同じく第１振分経路の球受棚、第２振分経路の一対の回転移送体及び奥側誘導路を示す平面図である。
【図５】同じく役物装置を下部を拡大して背面から示す斜視図である。
【図６】同じく一対の回転移送体、移送モータ、複数の邪魔部材、カム機構、駆動モータの関係を示す説明図である。
【図７】同じく回転移送体の実施態様を示す説明図である。
【符号の説明】
【００４１】
１０  遊技盤
４０  役物装置
４１  役物本体
４６  球通路
５０  第１振分経路
５１  球受棚
５３  放出部
５５  連絡路
７０  第２振分経路
７１  振分体
７２  経路出口
８０  回転移送体
８６  移送モータ
９５  奥側誘導路
９６  中央誘導路
１００  邪魔部材
１１０  駆動モータ
【図１】
2005102821.tif 000003
【図２】
2005102821.tif 000004
【図３】
2005102821.tif 000005
【図４】
2005102821.tif 000006
【図５】
2005102821.tif 000007
【図６】
2005102821.tif 000008
【図７】
2005102821.tif 000009